(57)【要約】【課題】  遊技機において、筐体の島設備より突出した部分におけるネジ孔をなくす。【解決手段】  金属製の本体部Ｓ１および当該本体部Ｓ１の開口部に対して開閉可能に取り付けられた前面扉Ｓ２を備えた筐体と、本体部Ｓ１における開口部近傍の内壁に溶接により取り付けられたリブ４９と、リブ４９に固定されて開口部の周囲に突設され、本体部Ｓ１と前面扉Ｓ２との接合部分を内側から覆う金属プレート４８とを有する構造とする。【選択図】        図３
2005095207.tif 000002
【特許請求の範囲】
【請求項１】
金属製の箱体および当該箱体の開口部に対して開閉可能に取り付けられた前面扉を備えた筐体と、
前記箱体における前記開口部近傍の内壁に取り付けられたリブと、
前記リブに固定されて前記開口部の周囲に突設され、前記箱体と前記前面扉との接合部分を内側から覆う金属プレートと、を有することを特徴とする遊技機。
【請求項２】
前記リブは溶接により前記箱体の内壁に取り付けられていることを特徴とする請求項１記載の遊技機。
【請求項３】
前記遊技機はパチスロ機であることを特徴とする請求項１または２記載の遊技機。
【発明の詳細な説明】
【技術分野】
【０００１】
本発明は遊技機に関し、特にパチスロ機において箱体と前面扉との接合部分を覆う金属プレートの取り付けに関するものである。
【背景技術】
【０００２】
たとえばパチスロ機やパチンコ機などの遊技機では、筐体内部に多数の電子部品が配置されており、マイコン制御との組み合わせにより多彩且つ奥深い遊技性を具備している。
【０００３】
そして、遊技機に不正な細工をすることで遊技コインや遊技球などの遊技媒体を搾取する行為、いわゆるゴトを防止するために、遊技機の筐体を構成する箱体と前面扉との接合部分を内側から金属プレートで覆い、当該部分からの侵入を阻止している。
【０００４】
さて、この金属プレートは外側からのネジ止めにより箱体の内部に固定されている。そして、前述のように、金属プレートは箱体と前面扉との接合部分を覆うものであるため、金属プレートを固定しているネジのネジ孔は箱体の前面扉近傍に形成されることになる。また、遊技機は、当該遊技機の遊技情報を表示する情報表示装置や遊技媒体を貸し出す媒体貸出装置などが設置された島設備に、前面扉の開閉を考慮して所定寸法（約１０ｃｍ程度）突出した状態で取り付けられる。
【０００５】
そのため、図４に示すように、パチスロ機１において金属プレートを固定する際に形成されるネジ孔１ａは島設備５０に隠蔽されることなく、その突出した部分に位置する。
【０００６】
なお、従来のパチスロ機１の筐体は、たとえば特開２００１−２５５６８号公報に記載のように、パーティクルボード製つまり木製である。したがって、島設備５０より突出した部分に位置するネジ孔１ａは、金属プレートの取り付けのために不可避なものであるとされていた。
【特許文献１】特開２００１−２５５６８号公報
【発明の開示】
【発明が解決しようとする課題】
【０００７】
ここで、従来と異なり筐体を金属製とした場合には、ネジ孔の形成によりバリができるおそれがあるため、遊技者の安全のためにバリの除去作業工程が必要になる。
【０００８】
また、筐体にネジ孔があると、そのネジ孔を手掛かりにゴトをされるおそれもある。
【０００９】
そして、島設備より突出した部分にネジ孔があるのは美観の上からも好ましいことではない。
【００１０】
そこで、本発明は、筐体の島設備より突出した部分におけるネジ孔をなくすことのできる遊技機を提供することを目的とする。
【課題を解決するための手段】
【００１１】
上記課題を解決するため、本発明に係る遊技機は、金属製の箱体および当該箱体の開口部に対して開閉可能に取り付けられた前面扉を備えた筐体と、前記箱体における前記開口部近傍の内壁に取り付けられたリブと、前記リブに固定されて前記開口部の周囲に突設され、前記箱体と前記前面扉との接合部分を内側から覆う金属プレートと、を有することを特徴とする。
【００１２】
本発明の好ましい形態において、前記リブは溶接により前記箱体の内壁に取り付けられていることを特徴とする。
【００１３】
本発明のさらに好ましい形態において、前記遊技機はパチスロ機であることを特徴とする。
【発明の効果】
【００１４】
本発明によれば以下の効果を奏することができる。
【００１５】
すなわち、本発明によれば、箱体の内壁に取り付けられたリブに金属プレートを固定しているので、金属プレートを外側からネジ止めした場合に箱体の前面扉近傍に形成されるネジ孔ができないので、遊技機を島設備に設置した場合に筐体の突出部分におけるネジ孔をなくすことが可能になる。
【００１６】
これにより、箱体の外側にネジ孔によるバリができることもなくなり、またネジ孔を手掛かりにゴトをされるおそれもなくなる。さらに、島設備より突出した部分にネジ孔がなくなることから、美観の向上を図ることもできる。
【発明を実施するための最良の形態】
【００１７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１８】
図１は本発明の一形態である遊技機としてのパチスロ機を示す斜視図、図２は図１のパチスロ機における箱体の内部を示す正面図、図３（ａ）は図２のＡ部を拡大して示す斜視図、図３（ｂ）は図３（ａ）のｂ−ｂ線に沿った断面図である。
【００１９】
図１に示すように、遊技機の一種であるパチスロ機１は、金属製の本体部（箱体）Ｓ１と、この本体部Ｓ１の開口部に対して開閉可能に取り付けられた前面扉Ｓ２とからなる筐体を有している。なお、本形態において前面扉は樹脂製であるが、金属製など樹脂製以外とすることもできる。
【００２０】
このようなパチスロ機は、その中央部には、可変表示部を構成する３個のリール２、３、４が回転自在に設けられ、その前面に表示窓５、６、７が設けられている。各リール２、３、４の外周面には複数種類の図柄から成る図柄列が描かれ、これら図柄は表示窓５、６、７を通して観察されるようになっている。これら表示窓５、６、７には、横３本と斜め２本の計５本の入賞ラインが設けられている。また、表示窓５〜７の下方右側には、遊技者がメダルを入れるためのメダル投入口８が配置されている。
【００２１】
また、表示窓５〜７の左方には、上部から、４個の遊技状態表示ランプ（ビッグボーナス（以下、「ＢＢ」という。）遊技状態ランプ、レギュラーボーナス（以下、「ＲＢ」という。）遊技状態ランプ、再遊技表示ランプ、遊技停止表示ランプ）９、メダル投入枚数に応じて点灯制御される３個の賭数表示ランプ１０、クレジットされているメダル数を表示するクレジット表示部１１、および後述するスタートレバー２５の操作の受け付けが有効な時に点滅するスタートランプ１２が設けられている。
【００２２】
また、表示窓５〜７の右方には、上部から、ボーナスゲーム入賞時に残り入賞可能回数を表示するボーナスカウント表示部１３、ＢＢまたはＲＢが内部当選した場合およびこれらに入賞した場合に点灯するＷＩＮランプ１４、入賞メダル払い出し枚数を表示する配当枚数表示部１５、およびメダル投入口８にメダルの投入が可能な時に点灯するインサートランプ１６が設けられている。
【００２３】
表示窓５〜７の直ぐ下方には、遊技のデモンストレーシヨン画面やゲームに応じた演出画像が表示される液晶などの画像表示装置１７が設けられている。
【００２４】
この画像表示装置１７の左側には、画像表示装置１７に表示する情報を選択する際に使用される十字キー１８、Ａボタン１９、Ｂボタン２０、およびクレジットされているメダルからその賭け枚数を指定（１、２または３枚）する１ＢＥＴスイッチ２１、２ＢＥＴスイッチ２２、最大ＢＥＴスイッチ２３が設けられている。
【００２５】
また、画像表示装置１７の下方には、左から、クレジットされているメダルの精算に使用されるクレジットメダル精算スイッチ２４、リール２〜４を一斉に回転させるスタートレバー２５、および回転しているリール２〜４を個別に停止させる停止ボタン２６、２７、２８が設けられている。
【００２６】
また、パチスロ機１の正面下部には、メダル払出口３０から払い出されるメダルが貯留されるメダル受皿２９が設けられ、パチスロ機１の正面上部には、入賞に対して払い出されるメダルの枚数を表示する配当表示部３１が設けられている。
【００２７】
そして、停止ボタン２６〜２８とメダル受皿２９とに上下を挟まれた位置には、機種のモチーフに対応したデザインがあしらわれた半透明のプラスチック板である腰部パネル３２が取り付けられ、その下部左右には、ゲームの状況に応じた効果音を出力するスピーカ３３，３４が１つずつ配置されている。
【００２８】
図２に示すように、筐体の一方側である本体部Ｓ１内には、内部空間を上下に区画する仕切り板４０が取り付けられている。仕切り板４０に仕切られた上部空間には、メイン制御基盤４１およびリールユニット４２が上下に配置されており、右側壁には外部集中端子板４３が取り付けられている。
【００２９】
メイン制御基盤４１はマイクロコンピュータを主な構成要素とし、これに乱数サンブリングのための回路を加えて構成されており、当選、非当選を決定する内部抽選、リール２、３、４の回転および停止、メダル払い出し制御などを行う。リールユニット４２には前述したリール２、３、４やこれらを回転駆動するステッピングモータなどが格納されている。外部集中端子板４３は、ボーナスカウント表示部１３に表示されるゲーム数や配当枚数表示部１５に表示されるＢＢ中の獲得メダル枚数などの情報を出力する。
【００３０】
仕切り板４０の下側に位置する下部空間には、払い出されるメダルが収納されるホッパー４４がその略中央に設置されている。そして、ホッパー４４の右下にはホッパー４４からあふれ出したメダルが入るメダル補助収納庫４５が、下にはホッパー４４内のメダルを入賞枚数に応じてメダル払い出し口４６ａから払い出す払い出しユニット４６が、それぞれ配置されている。また、ホッパー４４の左側には、遊技不能状態からの復帰時に用いられるリセットスイッチ、ＢＢの当選確率を調整する設定スイッチなどが備えられ、メインスイッチの操作によりパチスロ機１への電源供給を行う電源ユニット４７が設置されている。
【００３１】
そして、図２および図３に示すように、本体部Ｓ１における開口部の周囲４辺には、前面扉Ｓ２が閉じられたときにできる本体部Ｓ１と前面扉Ｓ２との接合部分を内側から覆う金属プレート４８が突設されている。この金属プレート４８は、パチスロ機に対して電気的あるいは構造的に不正な細工をすることにより遊技コインや遊技球などの遊技媒体を搾取する行為であるゴトを防止するために設けられているもので、本体部Ｓ１と前面扉Ｓ２との接合部分から細工用の治具が挿入できなくしている。
【００３２】
図３（ａ）（ｂ）に詳しく示すように、金属製の本体部Ｓ１における開口部近傍の内壁には溶接によりリブ４９が取り付けられており、金属プレート４８はこのリブ４９にたとえばネジ止めにより固定されている。なお、リブ４９は接着剤など溶接以外の手段によって本体部Ｓ１に取り付けてもよく、金属プレート４８についても接着剤などネジ止め以外の手段によってリブ４９に固定することができる。さらに、図示する場合には、金属プレート４８は開口部の全周に設けられているが、部分的に設けられていてもよい。
【００３３】
このように、本願によれば、本体部Ｓ１の内壁に取り付けられたリブ４９に金属プレート４８を固定しているので、金属プレート４８を外側からネジ止めした場合に本体部Ｓ１の前面扉Ｓ２近傍に形成されるネジ孔はない。したがって、パチスロ機を島設備に設置した場合に筐体の突出部分におけるネジ孔をなくすことができる。
【００３４】
これにより、本体部Ｓ１の外側にネジ孔によるバリができることもなくなり、またネジ孔を手掛かりにゴトをされるおそれもなくなる。さらに、島設備より突出した部分にネジ孔がなくなることから、美観の向上を図ることもできる。
【産業上の利用可能性】
【００３５】
以上の説明においては、本発明を遊技機の一つであるパチスロ機１に適用した場合が説明されているが、本発明はこれに限定されるものではなく、パチンコ機、あるいはゲームセンターに設置された各種ゲーム機など、種々の遊技機に適用することが可能である。
【図面の簡単な説明】
【００３６】
【図１】本発明の一形態である遊技機としてのパチスロ機を示す斜視図である。
【図２】図１のパチスロ機における箱内の内部を示す正面図である。
【図３】（ａ）は図２のＡ部を拡大して示す斜視図、（ｂ）は（ａ）のｂ−ｂ線に沿った断面図である。
【図４】従来のパチスロ機を島設備とともに示す概略図である。
【符号の説明】
【００３７】
１  パチスロ機（遊技機）
４８  金属プレート
４９  リブ
Ｓ１  本体部（箱体）
Ｓ２  前面扉
【図１】
2005095207.tif 000003
【図２】
2005095207.tif 000004
【図３】
2005095207.tif 000005
【図４】
2005095207.tif 000006